(57)【特許請求の範囲】
【請求項１】
粉体を収容可能な収容空間を有する容器本体と、
前記収容空間に通じる連通口を有し、前記容器本体に装着されるベースと、
前記連通口を開閉する弁体を有し、前記ベースに装着される逆止弁と、
前記容器本体の軸線に沿って延在する筒部を有し、該容器本体又は前記ベースに対して該軸線に沿って移動可能に取り付けられるとともに、該容器本体に近づく向きに移動させることで前記弁体を開く一方、該容器本体から遠ざける向きに移動させることで該弁体を閉じるキャップと、
前記筒部を覆って前記キャップに装着されるカバーとを備え、
前記筒部は、前記キャップを前記容器本体に近づける向きに移動させることで前記収容空間と該筒部の内部空間とを連通させる一方、該キャップを該容器本体から遠ざける向きに移動させることで前記弁体によって閉じられて該収容空間と該内部空間との連通が遮断される一端開口と、前記カバーを装着した際には閉鎖される一方、該カバーを外すことで該内部空間と外界とを連通させる他端開口とを備える抽出容器。
【請求項２】
前記ベースは、前記軸線に沿って延在する壁部を有し、前記キャップは、前記壁部に沿って延在する案内壁部を有する請求項１に記載の抽出容器。
【請求項３】
前記ベースは、前記キャップの移動時において該キャップを抜け止め保持するストッパーを有する請求項１又は２に記載の抽出容器。
【請求項４】
前記キャップは、前記ベースに対して前記軸線に沿う向きにスライド可能に設けられる請求項１〜３の何れか一項に記載の抽出容器。
【請求項５】
前記キャップは、前記ベースに設けた第一ねじ部に適合し、該キャップを回転させることで該キャップを前記軸線に沿う向きに移動させる第二ねじ部を有する請求項１〜３の何れか一項に記載の抽出容器。
【請求項６】
前記キャップは、前記ベースに対して取り外し可能に設けられる請求項１又は２に記載の抽出容器。
【発明の詳細な説明】
【技術分野】
【０００１】
本発明は、化粧料や医薬品、調味料等の粉体を抽出することができる抽出容器に関するものである。
【背景技術】
【０００２】
化粧料や医薬品をはじめ、各種の調味料や食料品等の粉体を収納する容器は、これまでに種々のものが提案されている。
【０００３】
例えば特許文献１では、傾倒姿勢に変位させた容器本体をスクイズしたり振出動作を行ったりすることによって、任意の量の内容物を抽出させる容器が提案されている。また特許文献２では、１回の操作で定められた量の内容物を抽出させる容器が提案されている。
【先行技術文献】
【特許文献】
【０００４】
【特許文献１】特開平１１−１１５０２号公報
【特許文献２】実開昭６３−１４２１６３号公報
【発明の概要】
【発明が解決しようとする課題】
【０００５】
ところでこの種の容器は毎回同じような状況で使われるとは限られず、内容物を任意の量で抽出させたい場合もあれば、定量で抽出させたい場合もある。
【０００６】
本発明は、このような問題点を解決することを課題とするものであり、内容物を任意の量で抽出できる状態と、これを定量で抽出できる状態とを切り替えることが可能な新規の抽出容器を提案することを目的とする。
【課題を解決するための手段】
【０００７】
本発明は、粉体を収容可能な収容空間を有する容器本体と、
前記収容空間に通じる連通口を有し、前記容器本体に装着されるベースと、
前記連通口を開閉する弁体を有し、前記ベースに装着される逆止弁と、
前記容器本体の軸線に沿って延在する筒部を有し、該容器本体又は前記ベースに対して該軸線に沿って移動可能に取り付けられるとともに、該容器本体に近づく向きに移動させることで前記弁体を開く一方、該容器本体から遠ざける向きに移動させることで該弁体を閉じるキャップと、
前記筒部を覆って前記キャップに装着されるカバーとを備え、
前記筒部は、前記キャップを前記容器本体に近づける向きに移動させることで前記収容空間と該筒部の内部空間とを連通させる一方、該キャップを該容器本体から遠ざける向きに移動させることで前記弁体によって閉じられて該収容空間と該内部空間との連通が遮断される一端開口と、前記カバーを装着した際には閉鎖される一方、該カバーを外すことで該内部空間と外界とを連通させる他端開口とを備える抽出容器である。
【０００８】
前記ベースは、前記軸線に沿って延在する壁部を有し、前記キャップは、前記壁部に沿って延在する案内壁部を有することが好ましい。
【０００９】
前記ベースは、前記キャップの移動時において該キャップを抜け止め保持するストッパーを有することが好ましい。
【００１０】
前記キャップは、前記ベースに対して前記軸線に沿う向きにスライド可能に設けられることが好ましい。
【００１１】
前記キャップは、前記ベースに設けた第一ねじ部に適合し、該キャップを回転させることで該キャップを前記軸線に沿う向きに移動させる第二ねじ部を有することが好ましい。
【００１２】
前記キャップは、前記ベースに対して取り外し可能に設けられることが好ましい。
【発明の効果】
【００１３】
本発明に従う抽出容器は、キャップを容器本体に近づける向きに移動させることによって、キャップに設けた筒部で弁体を開かせることができる。これにより、粉体を収容した収容空間と筒部の内部空間が筒部の一端開口を通して連通するので、筒部の他端開口を閉じていたカバーを外して振出動作を行うことで、収容空間内の粉体を任意の量で抽出させることができる。また粉体を定量で注出させる場合は、容器本体に近づける向きに移動させていたキャップを、容器本体から遠ざける向きに移動させる。これにより、弁体が閉じて収容空間と内部空間との連通が遮断されるため、カバーを外せば、内部空間に収容していた粉体だけを抽出させることができる。このように本発明に従う抽出容器によれば、内容物を任意の量で抽出できる状態と、これを定量で抽出できる状態とを切り替えることができ、また切り替え操作も簡単に行うことができる。
【図面の簡単な説明】
【００１４】
【図１】本発明に従う抽出容器の第一実施形態を示す側面視での断面図である。
【図２】図１の部分拡大図であって、キャップを容器本体に近づく向きに移動させた状態を示す図である。
【図３】（ａ）は図２の状態の後にキャップを容器本体から遠ざける向きに移動させた状態を示す図であり、（ｂ）は（ａ）の後にカバーを開いて定量の粉体を抽出させる状態を示す図である。
【図４】本発明に従う抽出容器の第二実施形態を示す側面視での断面図である。
【図５】図４の部分拡大図であって、キャップを容器本体に近づく向きに移動させた状態を示す図である。
【図６】（ａ）は図５の状態の後にキャップを容器本体から遠ざける向きに移動させた状態を示す図であり、（ｂ）は（ａ）の後にカバーを開いて定量の粉体を抽出させる状態を示す図である。
【図７】本発明に従う抽出容器の第三実施形態を示す側面視での断面図である。
【図８】図７の部分拡大図であって、キャップを容器本体に近づく向きに移動させた状態を示す図である。
【図９】（ａ）は図８の状態の後にキャップを容器本体から遠ざける向きに移動させた状態を示す図であり、（ｂ）はキャップを取り外して定量の粉体を抽出させる状態を示す図である。
【発明を実施するための形態】
【００１５】
以下、図１〜図３を参照して、本発明に従う抽出容器の第一実施形態について説明する。なお、本明細書において、「上」方向、「下」方向とは、図１に示すように容器本体（符号１）が上方に位置し、カバー（符号６）が下方に位置する状態での向きをいう。
【００１６】
本実施形態の抽出容器Ａは、容器本体１、ベース２、逆止弁３、保持部材４、キャップ５、カバー６で構成されている。
【００１７】
容器本体１は、円筒状をなすとともに一端部を半球状の壁部で閉鎖した胴部１ａと、胴部１ａの他端部に連結する口部１ｂとを備えている。口部１ｂの外周面には、径方向外側に向けて突出する外向き突起部１ｃが設けられている。また、胴部１ａと口部１ｂとの内側には、粉体を収容可能な収容空間Ｓが形成されている。なお容器本体１は、合成樹脂等で形成した可撓性を有するものであってもよく、またガラス等で形成した非可撓性のものであってもよい。
【００１８】
ベース２は、口部１ｂの外周面を取り囲む外周壁２ａを備えている。外周壁２ａの内周面には、径方向内側に向けて突出するとともに外向き突起部１ｃに係合する内向き突起部２ｂが設けられている。これによりベース２は、容器本体１に装着した状態において抜け止め保持される。また外周壁２ａには口部１ｂの開口部を覆うベース隔壁２ｃが設けられていて、ベース隔壁２ｃの中央部には、収容空間Ｓに通じる連通口２ｄが設けられている。また、ベース隔壁２ｃの上面には、口部１ｂの内周面に当接して収容空間Ｓからの粉体の溢れ落ちを防止する環状のシール壁２ｅが設けられている。またベース隔壁２ｃの下面には、連通口２ｄの縁部に設けられる環状の壁部２ｆが設けられていて、壁部２ｆの下端には、径方向内側に向けて延在する内向きフランジ２ｇが設けられている。また壁部２ｆの径方向外側には、環状壁２ｈが設けられている。更に環状壁２ｈの外周面には、径方向外側に向けて突出する凸部（乗り越え凸部）２ｊと、乗り越え凸部２ｊよりも下方に位置し、且つ乗り越え凸部２ｊよりも突出量が大きい凸部（ストッパー）２ｋが設けられている。
【００１９】
逆止弁３は、環状をなす基部３ａを備えていて、壁部２ｆの内周面及び内向きフランジ２ｇの上面に当接するようにしてベース２に取り付けられる。また基部３ａの内周面には、径方向内側に向けて先細りしながら突出するシール部３ｂが設けられている。そして基部３ａの上端には、図３（ａ）に示すように通常時は水平方向に延在して連通口２ｄを閉じた状態とする弁体３ｃが設けられている。本実施形態の弁体３ｃは、基部３ａに連結する円板状の薄板に、中心から径方向外側に向かって複数のスリットを設けたものであって、図２に示すように後述する筒部によって押し込まれると、上方に向けて弾性変形するように構成されている。
【００２０】
保持部材４は、全体的に環状をなすものである。図２に示すように保持部材４の外周面には、壁部２ｆの内周面に設けた凹部に係合する凸部が設けられていて、ベース２に取り付けられた逆止弁３を抜け止め保持することができる。
【００２１】
キャップ５は、環状壁２ｈを取り囲むキャップ周壁５ａを備えている。キャップ周壁５ａの内周面には、径方向内側に向けて突出する内向き凸部５ｂが設けられている。またキャップ周壁５ａには、ドーナツ板状のキャップ隔壁５ｃが設けられていて、キャップ隔壁５ｃの内縁には、容器本体１の軸線Ｏに沿って延在する円筒状の筒部５ｄが設けられている。筒部５ｄは、容器本体１側に位置する一端開口５ｅと、一端開口５ｅの反対側に位置する他端開口５ｆとを有している。また筒部５ｄの内側には、内部空間Ｎが設けられている。更にキャップ隔壁５ｃの上面には、壁部２ｆを取り囲む環状の壁部（案内壁部）５ｇが設けられている。ここでキャップ５は、壁部２ｆと案内壁部５ｇによって、軸線Ｏに沿ってスライド可能に設けられるものである。
【００２２】
カバー６は、他端開口５ｆを覆うカバー隔壁６ａを有している。またカバー隔壁６ａの外縁には、キャップ周壁５ａに連なる形状となるカバー周壁６ｂが設けられている。カバー周壁６ｂとキャップ周壁５ａは、屈曲可能なヒンジｈを介して一体に連結している。また、軸線Ｏを挟んでヒンジｈと反対側には、カバー６を開く際に指掛かりとなる指掛け部６ｃが設けられている。更にカバー隔壁６ａの上面には、筒部５ｄを取り囲んで他端開口５ｆを閉鎖するシール環状壁６ｄが設けられている。
【００２３】
このような形態になる抽出容器Ａは、図２に示すようにキャップ５を容器本体１に近づける向きに移動させた状態において、筒部５ｄが弁体３ｃを押込んで弾性変形させて、一端開口５ｅが収容空間Ｓで露出する。これにより、収容空間Ｓと内部空間Ｎとが連通するため、収容空間Ｓ内の粉体が内部空間Ｎに移動する。なお、図２に示すように弁体３ｃが弾性変形することによって、ベース２の連通口２ｄは開いた状態になるが、逆止弁３に設けたシール部３ｂが筒部５ｄに対して全周に亘って当接するため、収容空間Ｓの粉体がベース２とキャップ５との間に溢れることはない。
【００２４】
そして図２に示す状態からカバー６を開けば、シール環状壁６ｄによって閉鎖されていた他端開口５ｆが解放されるため、収容空間Ｓと外界とは内部空間Ｎを介して常時連通することになる。これにより、容器本体１をスクイズしたり振出操作を行ったりすることによって、任意の量の粉体を抽出させることができる。なお、図２に示すように内向き凸部５ｂは乗り越え凸部２ｊに係合しているため、キャップ５がベース２に対して不用意に移動してしまうことはない。
【００２５】
一方、定量の粉体を抽出させる場合には、容器本体１に対してキャップ５が遠ざかる向きに力を加える。これによりキャップ５は、壁部２ｆと案内壁部５ｇによって案内されながらスライドし、図２の状態から図３（ａ）に示す状態、すなわち、キャップ５を容器本体１から遠ざける向きに移動した状態に変位する。ここで、上述したように内向き凸部５ｂは乗り越え凸部２ｊに係合しているが、両者の係り代は小さいため、それ程大きな力を加えなくてもキャップ５を移動させることができる。なお、乗り越え凸部２ｊの下方には乗り越え凸部２ｊよりも突出量が大きいストッパー２ｋが設けられていて、比較的大きな力でキャップ５を引っ張っても、内向き凸部５ｂがストッパー２ｋに引っ掛かるため、キャップ５が不用意に外れてしまうことはない。そして、内向き凸部５ｂがストッパー２ｋに引っ掛った状態において、筒部５ｄは弁体３ｃよりも下方へ移動するため、弾性変形していた弁体３ｃが復元して一端開口５ｅが閉じられる。すなわち、収容空間Ｓと内部空間Ｎとの連通が遮断され、また他端開口５ｆはカバー６で閉鎖されているため、内部空間Ｎには所定量の粉体が計量されることになる。
【００２６】
その後はカバー６を開けば、図３（ｂ）に示すように他端開口５ｆが解放されるため、内部空間Ｎに収容されていた定量の粉体を抽出させることができる。
【００２７】
次に、本発明に従う抽出容器の第二実施形態について、図４〜図６を参照しながら説明する。なお、上述した抽出容器Ａと同様の部位については、図面に同一の符号を付して説明は省略する。
【００２８】
本実施形態の抽出容器Ｂは、上述したベース２、及びキャップ５に替えて、ベース１２、及びキャップ１５を備えるものである。
【００２９】
ベース１２は、上述した外周壁２ａ、内向き突起部２ｂ、ベース隔壁２ｃ、連通口２ｄ、シール壁２ｅ、壁部２ｆ、内向きフランジ２ｇ、環状壁２ｈ、ストッパー２ｋと同様の機能を有する外周壁１２ａ、内向き突起部１２ｂ、ベース隔壁１２ｃ、連通口１２ｄ、シール壁１２ｅ、壁部１２ｆ、内向きフランジ１２ｇ、環状壁１２ｈ、ストッパー１２ｋを備えている。なお、先に説明した環状壁２ｈは、その外周面に乗り越え凸部２ｊ及びストッパー２ｋを備えていたが、本実施形態の環状壁１２ｈは、これらに替えて雄ねじ状の第一ねじ部１２ｍを備えている。またストッパー１２ｋは、壁部１２ｆの外周面に設けられている。
【００３０】
キャップ１５は、上述したキャップ周壁５ａ、内向き凸部５ｂ、キャップ隔壁５ｃ、筒部５ｄ、一端開口５ｅ、他端開口５ｆ、案内壁部５ｇと同様の機能を有するキャップ周壁１５ａ、内向き凸部１５ｂ、キャップ隔壁１５ｃ、筒部１５ｄ、一端開口１５ｅ、他端開口１５ｆ、案内壁部１５ｇを備えている。なお、先に説明した内向き凸部５ｂは、キャップ周壁５ａの内周面に設けられていたが、本実施形態の内向き凸部１５ｂは、案内壁部１５ｇの内周面に設けられている。また、キャップ周壁５ａの内周面には、第一ねじ部１２ｍに適合する雌ねじ状の第二ねじ部１５ｈが設けられている。
【００３１】
このような形態になる抽出容器Ｂは、図５に示すようにキャップ１５を容器本体１に近づける向きに移動させた状態において、筒部１５ｄが弁体３ｃを押込んで弾性変形させるため、一端開口１５ｅが収容空間Ｓで露出する。そして、図５に示す状態からカバー６を開けば、他端開口１５ｆが解放されて、収容空間Ｓと外界とは内部空間Ｎを介して常時連通することになるため、任意の量の粉体を抽出させることができる。
【００３２】
そして定量の粉体を抽出させる場合には、図６（ａ）に示すように第一ねじ部１２ｍと第二ねじ部１５ｈの螺合が緩む向きにキャップ１５を回転させる。これによりキャップ１５は、壁部１２ｆと案内壁部１５ｇによって案内されつつ、軸線Ｏに沿って容器本体１から遠ざかる向きに移動する。なお、第一ねじ部１２ｍと第二ねじ部１５ｈとが外れてしまう前に、内向き凸部１５ｂがストッパー１２ｋに引っ掛かるため、キャップ５が不用意に外れてしまうことはない。そして、内向き凸部１５ｂがストッパー１２ｋに引っ掛った状態において、筒部１５ｄは弁体３ｃよりも下方へ移動するため、弾性変形していた弁体３ｃが復元して一端開口１５ｅが閉じられて、収容空間Ｓと内部空間Ｎとの連通が遮断される。その後はカバー６を開けば、図６（ｂ）に示すように他端開口１５ｆが解放されるため、内部空間Ｎに収容されていた定量の粉体を抽出させることができる。
【００３３】
次に、図７〜図９を参照しながら本発明に従う抽出容器の第三実施形態について説明する。本実施形態の抽出容器Ｃは、上述したベース２に替えてベース２２を備えるものである。
【００３４】
ベース２２は、上述した外周壁２ａ、内向き突起部２ｂ、ベース隔壁２ｃ、連通口２ｄ、シール壁２ｅ、壁部２ｆ、内向きフランジ２ｇ、環状壁２ｈ、乗り越え凸部２ｊと同様の機能を有する外周壁２２ａ、内向き突起部２２ｂ、ベース隔壁２２ｃ、連通口２２ｄ、シール壁２２ｅ、壁部２２ｆ、内向きフランジ２２ｇ、環状壁２２ｈ、乗り越え凸部２２ｊを備えている。なお、先に説明したストッパー２ｋは、本実施形態では省略している。
【００３５】
このような形態になる抽出容器Ｃは、図８に示すようにキャップ５を容器本体１に近づける向きに移動させた状態において、一端開口５ｅが収容空間Ｓで露出するため、収容空間Ｓと内部空間Ｎとが連通している。そして、図８に示す状態からカバー６を開けば、収容空間Ｓと外界とは内部空間Ｎを介して常時連通することになるため、任意の量の粉体を抽出させることができる。
【００３６】
そして定量の粉体を抽出させるには、容器本体１から遠ざかる向きにキャップ５を移動させれば、図９（ａ）に示すように、筒部５ｄによって弾性変形していた弁体３ｃが復元して一端開口５ｅが閉じられるため、収容空間Ｓと内部空間Ｎとの連通が遮断される。そしてキャップ５を更に容器本体１から遠ざかる向きに移動させれば、ベース２２からキャップ５を取り外すことができる。その後は、図９（ｂ）に示すようにキャップ５を上下逆さまにすることで、内部空間Ｎに収容されていた定量の粉体を一端開口５ｅから注出させることができる。なお、ベース２２からキャップ５を取り外した姿勢のままでカバー６を開いて、他端開口５ｆから粉体を抽出させてもよい。
【００３７】
本発明に従う抽出容器は、これまでに述べた実施形態に限定されるものではなく、特許請求の範囲に従う範囲で種々の変更がなされたものも含まれる。例えば上述したキャップは、何れもベースに対して移動可能に取り付けられるものであったが、容器本体に対して移動可能に取り付けられるものでもよい。また弁体は、基部に対して揺動可能に設けられ、且つ一端開口を閉じる向きに常時付勢されるように構成したものであってもよい。更に蓋体は、キャップとは別体とし、且つキャップに対してねじで保持されるようにしてもよい。
【符号の説明】
【００３８】
１：容器本体
１ａ：胴部
１ｂ：口部
１ｃ：外向き突起部
２：ベース
２ａ：外周壁
２ｂ：内向き突起部
２ｃ：ベース隔壁
２ｄ：連通口
２ｅ：シール壁
２ｆ：壁部
２ｇ：内向きフランジ
２ｈ：環状壁
２ｊ：乗り越え凸部
２ｋ：ストッパー
３：逆止弁
３ａ：基部
３ｂ：シール部
３ｃ：弁体
４：保持部材
５：キャップ
５ａ：キャップ周壁
５ｂ：内向き凸部
５ｃ：キャップ隔壁
５ｄ：筒部
５ｅ：一端開口
５ｆ：他端開口
５ｇ：案内壁部
６：カバー
６ａ：カバー隔壁
６ｂ：カバー周壁
６ｃ：指掛け部
６ｄ：シール環状壁
１２、２２：ベース
１２ａ、２２ａ：外周壁
１２ｂ、２２ｂ：内向き突起部
１２ｃ、２２ｃ：ベース隔壁
１２ｄ、２２ｄ：連通口
１２ｅ、２２ｅ：シール壁
１２ｆ、２２ｆ：壁部
１２ｇ、２２ｇ：内向きフランジ
１２ｈ、２２ｈ：環状壁
１２ｋ：ストッパー
１２ｍ：第一ねじ部
２２ｊ：乗り越え凸部
１５：キャップ
１５ａ：キャップ周壁
１５ｂ：内向き凸部
１５ｃ：キャップ隔壁
１５ｄ：筒部
１５ｅ：一端開口
１５ｆ：他端開口
１５ｇ：案内壁部
１５ｈ：第二ねじ部
Ａ、Ｂ、Ｃ：抽出容器
Ｎ：内部空間
Ｏ：容器本体の軸線
Ｓ：収容空間
ｈ：ヒンジ
【図１】
0006600598.tif 000002
【図２】
0006600598.tif 000003
【図３】
0006600598.tif 000004
【図４】
0006600598.tif 000005
【図５】
0006600598.tif 000006
【図６】
0006600598.tif 000007
【図７】
0006600598.tif 000008
【図８】
0006600598.tif 000009
【図９】
0006600598.tif 000010